(57)【要約】  空気調和機の室内機（１）は、室内側熱交換器（３１）と、クロスフローファン（３２）と、送風路（３３）とを備えている。送風路（３３）の上面は、第１面（４１）と、第２面（４２）と、第３面（４３）とで構成される。第１面（４１）は、送風路（３３）の上流側に位置し、気体の流れに沿って下方に傾斜している。第２面（４２）は、第１面（４１）の下流側端部（３４ａ）に連続し、下流側かつ上方へ延びる。第３面（４３）は、第２面（４２）の下流側端部（３４ｂ）に連続し、下流側かつ上方へ延びる。また、水平面に対する第２面（４２）の傾斜角度は、前記水平面に対する第３面（４３）の傾斜角度よりも大きくなっている。
2018179470.tif 000002
【特許請求の範囲】
【請求項１】
室内側熱交換器と、
前記室内側熱交換器において熱交換された気体を吹き出し口へ導くファンと、
前記ファンから送風された気体が通る気体流路と
を備え、
前記気体流路の上面は、
前記気体流路の上流側に位置し、気体の流れに沿って下方に傾斜している第１面と、
前記第１面の下流側端部に連続し、気体の流れに沿って下流側かつ上方へ延びる第２面と、
前記第２面の下流側端部に連続し、気体の流れに沿って下流側かつ上方へ延びる第３面と
で構成されており、
水平面に対する前記第２面の傾斜角度は、前記水平面に対する前記第３面の傾斜角度よりも大きくなっている、空気調和機。
【請求項２】
前記ファンから送風された気体の送風方向を上下に変更する上下風向板をさらに備え、
前記吹き出し口からの気体の送風方向を上方側に設定しているときには、
前記上下風向板の上流側端部は、前記第１面を下流側に延長した仮想延長線よりも下側に位置する、請求項１に記載の空気調和機。
【請求項３】
前記上下風向板は、その上面上に備えられている補助部材を含み、
前記補助部材は、前記上下風向板における前記気体流路の上流側において、前記上下風向板と部分的に重なるように配置されている、請求項２に記載の空気調和機。
【請求項４】
前記第２面は曲面形状を有している、請求項１から３の何れか１項に記載の空気調和機。
【請求項５】
室内側熱交換器と、
前記室内側熱交換器において熱交換された気体を吹き出し口へ導くファンと、
前記ファンから送風された気体が通る気体流路と、
前記ファンから送風された気体の送風方向を上下に変更する上下風向板と
を備え、
前記気体流路の上面は、
前記気体流路の上流側に位置し、気体の流れに沿って下方に傾斜している第１面と、
前記第１面の下流側端部に連続し、気体の流れに沿って下流側かつ少なくとも上方へ延びる第２面と、
前記第２面の下流側端部に連続し、気体の流れに沿って下流側かつ上方へ延びる第３面と
を有し、
前記上下風向板の少なくとも一部が、前記第１面の下流側端部と前記第３面の下流側端部とを結ぶ仮想線よりも上側に存在する、空気調和機。
【請求項６】
前記上下風向板は、その上面上に備えられている補助部材を含み、
前記補助部材は、前記第１面の下流側端部と前記第３面の下流側端部とを結ぶ仮想線よりも上側に存在する、請求項５に記載の空気調和機。
【請求項７】
前記上下風向板の可動範囲には、前記第１面を下流側に延長した仮想延長線よりも前記上下風向板の本体部全体が上側に位置する場合が含まれる、請求項５または６に記載の空気調和機。
【発明の詳細な説明】
【技術分野】
【０００１】
本発明の一局面は、空気調和機にする。より具体的には、本発明の一局面は、空気調和機の気体流路の周辺構造に関する。
【背景技術】
【０００２】
空気調和機の室内機には、室内へ空調された風を送り出すための送風機が備えられている。送風機の性能には、室内の空調分布や快適性向上のため、幅広い風向範囲を有することが求められる。室内機の送風機としては、例えば、クロスフローファンが用いられる。【０００３】
クロスフローファンは、ケーシングと呼ばれるスクロール状の壁面によって風の流れが生成される。しかしながら、クロスフローファンのみの構成では、風向範囲の大きな変更は不可能である。そのため、クロスフローファンから吹出された風が通る室内機の送風路には、吹き出し口から吹き出す風の向きを変更する風向変更板が備えられている。【０００４】
また、室内機の基本的な構成として、筐体の上面（天面）に空気を取り込むための吸い込み口が備えられ、吸い込み口の下方に熱交換器およびクロスフローファンが配置される構成が採用される。一般に、熱交換器は、クロスフローファンを覆う屋根のように配置されている。【０００５】
熱交換器は、その表面積が空調性能に直結するため、できる限り大きくスペースを確保することが望まれる。また、吸い込み口と吹き出し口とが近すぎると、吹き出した風が直接吸い込まれるショートサーキット現象に繋がる。【０００６】
以上のような室内機の構成上の制約を考慮して、吹き出し口は、通常、室内機の下方に配置され、吹き出し口の向きは、水平方向よりも下方を向いている。そのため、部屋の上方向（例えば、天井方向）へ風を吹き出しにくい構造となる。【０００７】
そこで、引用文献１に開示されている空気調和機では、前部上下風向板１２が下に凸に湾曲した形状を有するように構成されている。
【先行技術文献】
【特許文献】
【０００８】
【特許文献１】特許第５７３２５７９号公報
【発明の概要】
【発明が解決しようとする課題】
【０００９】
しかしながら、風向変更板が下に凸に湾曲した形状を有していると、下方向への風の吹き出し時に、湾曲した形状に沿ってしまうことで風の一部が上昇する。そのため、風の一部が上昇することを考慮して風向を変化させる必要が生じ、本来の風向変化において起こり得る風量低下以上に送風性能が低下するという問題がある。また、引用文献１に開示されている空気調和機では、前部上下風向板１２が吹出口上面２００の延長線から下方に突出する位置に配置されている。そのため、送風路内の風の流れが前部上下風向板１２によって妨害される可能性がある。【００１０】
そこで、本発明の一局面では、上方向への風の吹き出し時と下方向への風の吹き出し時の両方において、風の流れをより円滑にすることのできる空気調和機を提供することを目的とする。
【課題を解決するための手段】
【００１１】
本発明の一局面にかかる空気調和機は、室内側熱交換器と、前記室内側熱交換器において熱交換された気体を吹き出し口へ導くファンと、前記ファンから送風された気体が通る気体流路とを備えている。前記気体流路の上面は、前記気体流路の上流側に位置し、気体の流れに沿って下方に傾斜している第１面と、前記第１面の下流側端部に連続し、気体の流れに沿って下流側かつ上方へ延びる第２面と、前記第２面の下流側端部に連続し、気体の流れに沿って下流側かつ上方へ延びる第３面とで構成されている。そして、水平面に対する前記第２面の傾斜角度は、前記水平面に対する前記第３面の傾斜角度よりも大きくなっている。
【発明の効果】
【００１２】
本発明の一局面にかかる空気調和機によれば、上方向への風の吹き出し時と下方向への風の吹き出し時の両方において、風の流れをより円滑にすることができる。
【図面の簡単な説明】
【００１３】
【図１】本発明の一実施形態にかかる空気調和機の室内機の外観を示す斜視図である。
【図２】図１に示す室内機のフラップを開けた状態を示す斜視図である。
【図３】第１の実施形態にかかる室内機の内部構成を示す断面模式図である。この図では、室内機が上方向に向けて風を吹き出す状態を示す。
【図４】図３に示す室内機において定格運転時の状態を示す断面模式図である。
【図５】図３に示す室内機において下方向に向けて風を吹き出す状態を示す断面模式図である。
【図６】第２の実施形態にかかる室内機の内部構成を示す断面模式図である。
【図７】第３の実施形態にかかる室内機の内部構成を示す断面模式図である。
【図８】第４の実施形態にかかる室内機の内部構成を示す断面模式図である。
【図９】第５の実施形態にかかる室内機の内部構成を示す断面模式図である。この図では、室内機が上方向に向けて風を吹き出す状態を示す。
【図１０】図９に示す室内機において定格運転時の状態を示す断面模式図である。
【図１１】図９に示す室内機において下方向に向けて風を吹き出す状態を示す断面模式図である。
【図１２】第５の実施形態にかかる室内機の変形例を示す断面模式図である。
【図１３】第６の実施形態にかかる室内機の内部構成を示す断面模式図である。この図では、室内機が上方向に向けて風を吹き出す状態を示す。
【図１４】図１３に示す室内機において定格運転時の状態を示す断面模式図である。
【図１５】図１３に示す室内機において下方向に向けて風を吹き出す状態を示す断面模式図である。
【図１６】第６の実施形態にかかる室内機に備えられている上下風向板の構成を示す斜視図である。
【図１７】第６の実施形態にかかる室内機の変形例を示す断面模式図である。この図では、室内機が下方向に向けて風を吹き出す状態を示す。
【図１８】第６の実施形態にかかる室内機の変形例を示す断面模式図である。この図では、室内機が下方向に向けて風を吹き出す状態を示す。
【発明を実施するための形態】
【００１４】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１５】
〔第１の実施形態〕
＜空気調和機の全体構成＞
先ず、本実施の形態にかかる空気調和機の全体構成について説明する。本実施の形態にかかる空気調和機は、セパレート式の空気調和機であって、主として、室内機１と室外機（図示せず）とから構成されている。図１は、本実施の形態に係る空気調和機の室内機１の外観構成を示す。図２には、室内機１のフラップ１５を開けた状態を示す。
【００１６】
室外機には、圧縮機、室外側熱交換器、四方弁、膨張弁などが備えられている。これらと室内機１側に備えられた室内側熱交換器３１（図３参照）とによって冷凍サイクルが構成される。また、室外機には室外ファンが備えられている。
【００１７】
次に、室内機１の外観の構成について、図１および図２を用いて説明する。図１に示すように、室内機１は、略直方体状の形状を有しており、通常、部屋の壁の上部に掛けられて使用される。上述したように、室内機１内には室内側熱交換器が備えられている。この室内側熱交換器は、冷媒配管（図示せず）を介して室外機側の圧縮機などと接続されている。これにより、この室内機１と室外機とは、冷凍サイクルを構成し、その結果、空気調和機として機能する。
【００１８】
図１に示すように、室内機１は、筐体１０で外形が形成される。筐体１０は、略直方体状の樹脂成形品である。図１に示すように、筐体１０は、主として、前面パネル１１、本体パネル１２、背面パネル１３、およびフラップ１５で構成されている。
【００１９】
なお、説明の便宜上、前面パネル１１が配置されている側を室内機１の前面側（または前方側）とし、背面パネル１３が配置されている側を室内機１の背面側（または後方側）とする。そして、室内機１の前面側から背面側、または背面側から前面側へ向かう方向のことを、前後方向という。また、室内機１の通常の設置状態において、上方から下方または下方から上方へ向かう方向のことを、上下方向または鉛直方向という。また、この上下方向と交差または直交する方向のことを、水平方向または左右方向という。また、前面パネル１１を正面から見た状態で、右側に位置する室内機１の側面を右側面とし、左側に位置する室内機１の側面を左側面とする。
【００２０】
また、本明細書中で、「下方に傾斜する面」とは、室内機１の通常の設置状態で、所定の方向に沿って（例えば、気体が流れる方向に沿って）水平面よりも下方へ傾斜している面を意味する。同様に、「上方に傾斜する面」とは、室内機１の通常の設置状態で、所定の方向に沿って（例えば、気体が流れる方向に沿って）水平面よりも上方へ傾斜している面を意味する。
【００２１】
前面パネル１１は、筐体１０の前面（正面）に位置する。前面パネル１１は、本体パネル１２に対して開閉可能に取り付けられている。通常、前面パネル１１を開けると、フィルタ１７（図３参照）が前面部に現れる。フィルタ１７は、本体パネル１２の上面に設けられた吸込み口の下方に設けられている。フィルタ１７は、吸込み口から室内機１の内部に取り込まれる空気に含まれる埃や塵を捕捉する。フィルタ１７の背面側には、室内側熱交換器３１およびクロスフローファン（ファン）３２などが配置されている（図３参照）。
【００２２】
図２には、主に運転状態の室内機１を示す。図２に示すように、本体パネル１２の下部には、吸込み口から吸い込んだ空気を送出する吹き出し口１６が設けられている。そして、吹き出し口１６にフラップ１５が開閉可能に設けられている。フラップ１５には、駆動モータ（図示せず）が連結されている。駆動モータは、電気配線を介しての電装基板（図示せず）に通信接続されており、空気調和機の運転中、電装基板に設けられた制御部からの制御信号に従ってフラップ１５の回転角度を調節する。駆動モータは、例えばステッピングモータである。
【００２３】
例えば、冷房運転時には、制御部は、フラップ１５を開け、フラップ１５が冷風を斜め上方向に導き、冷風が天井に沿って吹き出すように、フラップ１５の回動角度を調節する。また、暖房運転時には、制御部はフラップ１５を開け、フラップ１５と後述する上下風向板２１とが協同して前方に向かって吹き出される温風を床面方向に導くように、フラップ１５の回動角度を調節する。なお、冷房運転の初期時には、冷風が床面方向に吹き出されるようにフラップ１５の回動角度を調節し、急速冷房を行ってもよい。また、フラップ１５は、運転停止時には閉状態となって、吹出し口を閉じる。
【００２４】
また、図２に示すように、吹き出し口１６には、上下風向板２１および左右風向板５１が備えられている。上下風向板２１は、吹き出し口１６から吹き出す風（気体）の向きを上下に変更（偏向）する。上下風向板２１は、上下風向ルーバとも呼ばれる。左右風向板５１は、吹き出し口１６から吹き出す風（気体）の向きを左右に変更（偏向）する。左右風向板５１は、左右風向ルーバとも呼ばれる。本実施形態では、上下風向板２１が上方に位置している状態において、上下風向板２１よりも下方で背面側に左右風向板５１が配置されている。しかし、上下風向板２１および左右風向板５１の配置位置は、これに限定はされない。
【００２５】
上下風向板２１は、後述するように、風向板取付部１８に対して動作可能に取り付けられている。上下風向板２１は、駆動モータ（図示せず）と接続されている。駆動モータは、電気配線を介しての電装基板（図示せず）に通信接続されており、空気調和機の運転中、電装基板に設けられた制御部からの制御信号に従って上下風向板２１の上下方向の角度を調節する。駆動モータは、例えばステッピングモータである。
【００２６】
左右風向板５１も、駆動モータ（図示せず）と接続されている。駆動モータは、電気配線を介しての電装基板（図示せず）に通信接続されており、空気調和機の運転中、電装基板に設けられた制御部からの制御信号に従って左右風向板５１の左右方向の角度を調節する。駆動モータは、例えばステッピングモータである。
【００２７】
＜室内機の送風路の構成＞
続いて、室内側熱交換器３１によって熱交換された気体が通過する送風路（気体流路）３３、および送風路３３に設けられた上下風向板２１の構成について、図３から図５を参照しながら説明する。
【００２８】
図３から図５では、室内機１の内部の構成を模式的に示す。特に、図３から図５では、送風路３３の具体的な形状を示している。なお、図３から図５では、左右風向板５１の図示は省略している。
【００２９】
図３は、吹き出し口１６からの気体の送風方向が上方側に設定されている状態を示す。図４は、吹き出し口１６からの送風効率の最も良い方向が正面側に設定されている状態（空気調和機の性能を優先して略水平方向に風を吹き出す状態）を示す。この図４に示す状態を、空気調和機が定格運転を行っている状態という。図５は、吹き出し口１６からの気体の送風方向が下方側に設定されている状態を示す。
【００３０】
図３に示すように、室内機１の内部には、フィルタ１７、空気調和ユニット、送風路３３などが備えらえている。
【００３１】
フィルタ１７は、本体パネル１２の上面に設けられた吸込み口（図示せず）と室内側熱交換器３１との間に設けられている。フィルタ１７は、吸込み口から室内機１の内部に取り込まれる空気に含まれる埃や塵を捕捉する。これにより、室内機１の内部に取り込まれる空気中の埃や塵の量を減らすことができる。
【００３２】
空気調和ユニットは、主として、室内側熱交換器３１とクロスフローファン３２とで構成されている。
【００３３】
室内側熱交換器３１は、複数の熱交換器を、クロスフローファン３２を覆う屋根のように組み合わせたものである。なお、各熱交換器は、左右両端で複数回折り返された伝熱管（図示せず）に多数の放熱フィン（図示せず）が取り付けられたものであって、冷房運転時には蒸発器として機能し、暖房運転時には凝縮器として機能する。
【００３４】
クロスフローファン３２は、駆動モータ（図示せず）に連結されている。そして、クロスフローファン３２は、空気調和機の運転中、その駆動モータによって回転駆動され、室内の空気を筐体１０に吸い込んで室内側熱交換器３１に供給すると共に、室内側熱交換器３１で熱交換された空気を室内に送出する。なお、駆動モータは、信号線を介して電装品ユニットに通信接続されており、電装品ユニット内の制御部から送信される制御信号に従って動作する。
【００３５】
送風路３３は、クロスフローファン３２から送風された風（気体）が通過する経路である。
【００３６】
なお、本明細書では、送風路３３内および送風路３３周辺における各位置を特定する場合に、クロスフローファン３２によって形成される気体の流れに沿って（すなわち、送風路３３の後方から前方へ向かって）、「上流（側）」あるいは「下流（側）」という表現を用いることとする。例えば、送風路３３において、よりクロスフローファン３２に近い側を送風路３３の上流側と称し、より吹き出し口１６に近い側を送風路３３の下流側と称する。
【００３７】
送風路３３の最上流側は、クロスフローファン３２と隣接している。また、送風路３３の最下流側には、吹き出し口１６が設けられている。
【００３８】
送風路３３は、主として、上面部材３４、背面部材３５、およびフラップ１５によって、その形状が規定される。
【００３９】
上面部材３４は、送風路３３の上面を形成する。例えば、上面部材３４は、風向板取付部１８であってもよい。風向板取付部１８には、上下風向板２１が動作可能に取り付けられている（図２参照）。また、風向板取付部１８は、室内側熱交換器３１のドレン水を受けるドレンパンと一体であってもよい。
【００４０】
背面部材３５は、クロスフローファン３２の背面側から下方に延びている。背面部材３５は、送風路３３の背面と、下面の一部とを形成する。
【００４１】
フラップ１５は、送風路３３の下面を主に形成する。図３に示すように、フラップ１５によって形成される下面は、背面部材３５によって形成される下面から連続するように位置し、吹き出し口１６まで延びている。すなわち、フラップ１５は、送風路３３の下流側の下面を形成する。本実施形態では、フラップ１５は、下に凸の曲率を有する湾曲形状を有している。
【００４２】
上下風向板２１は、送風路３３の下流側の上面に配置されている。図２に示すように、上下風向板２１は、室内機１の左右方向に延びる板状の部材である。後述するように、上下風向板２１は、上面部材３４に形成された切り欠き部に配置されている。上下風向板２１の上流側の端部には、回転軸２２が設けられている。回転軸２２は、風向板取付部１８に回転可能に取り付けられている。そして、上下風向板２１は、制御部からの指令に従って、回転軸２２を起点として、上下方向に一定の範囲内で回転動作（回動）する。これにより、室内機１の吹き出し口１６から吹き出される風の向きを上下方向に変化させることができる。
【００４３】
続いて、送風路３３の上面のより具体的な形状について、以下に説明する。本実施形態では、上面部材３４によって形成される送風路３３の上面は、第１面４１、第２面４２、および第３面４３を有している。
【００４４】
第１面４１は、送風路３３の上流側に位置し、気体の流れに沿って下方に傾斜している。第２面４２は、第１面４１の下流側端部３４ａに連続し、気体の流れに沿って（すなわち、下流側に）上方へ傾斜するように延びている。第３面４３は、第２面４２の下流側端部３４ｂに連続し、気体の流れに沿って（すなわち、下流側に）上方へ傾斜するように延びている。
【００４５】
なお、第１面４１の下流側端部３４ａは、第１面４１と第２面４２との接続部でもある。また、第２面４２の下流側端部３４ｂは、第２面４２と第３面４３との接続部でもある。また、第３面の下流側端部を３４ｃとする。図３に示すように、下流側端部３４ｂは下流側端部３４ａよりも上方に位置し、下流側端部３４ｃは下流側端部５３４ｂよりも上方に位置する。
【００４６】
送風路３３が、上記のような３つの面４１，４２，４３で構成されることによって、送風路３３の下流側の上面部分には、切り欠き部が形成される。切り欠き部は、第１面４１の下流側端部３４ａの高さにおける水平面から上方を抉り取るようにして形成される。そして、この切り欠き部内に、上下風向板２１が配置されている。
【００４７】
この構成によれば、図３に示すように、吹き出し口１６から上方向へ風を吹き出す場合に、送風路３３の上方部分における送風が上下風向板２１によって大きく妨害されることを抑えることができる。
【００４８】
本実施形態では、第１面４１の下流側端部３４ａと、第３面の下流側端部３４ｃとを結ぶ線を仮想線Ｌ１とする。また、第１面４１を下流側に仮想的に延長した線を仮想延長線Ｌ２とする。
【００４９】
図３から図５に示すように、上下風向板２１の全可動範囲において（すなわち、上方吹き出し時、水平吹出し時、および下方吹出し時の全ての場合において）、上下風向板２１の少なくとも一部が、上述の仮想線Ｌ１よりも上側に存在している。
【００５０】
この構成によれば、吹き出し口１６から上方向へ風が吹き出す場合にも、吹き出し口１６から下方向へ風が吹き出し場合にも、風の流れをより円滑にすることができる。すなわち、上方向へ風が吹き出す場合には、送風路３３の上方部分における送風が上下風向板２１によって大きく妨害されることを抑えることができる（図３参照）。
【００５１】
また、下方向へ風が吹き出す場合には、上下風向板２１の上流側端部と、上面（特に、第２面４２）との間の隙間を比較的小さくすることができる（図５参照）。そのため、送風路３３の上面付近を通過する風（気体）が、その隙間から第２面４２および第３面４３側へ漏れる可能性を低くすることができる。そのため、風量の損失を低く抑えることができる。
【００５２】
なお、平面で表された図３などにおいては、下流側端部３４ａ、下流側端部３４ｂ、および下流側端部３４ｃは、点で表現され、仮想線Ｌ１は線で表現されている。しかし、立体形状を有する室内機１の送風路３３では、実際には、下流側端部３４ａ、下流側端部３４ｂ、および下流側端部３４ｃは、線であり、仮想線Ｌ１および仮想延長線Ｌ２は、面となる。
【００５３】
＜送風路における上下風向板の位置について＞
続いて、各方向への風の吹き出し時における送風路３３の状態、および上下風向板２１の位置について、図３から図５を参照しながら説明する。
【００５４】
先ず、図３を参照しながら、上方吹き出し時の送風路３３について説明する。上方吹き出し時、送風路３３の下面を構成するフラップ１５は、本体パネル１２に対して略水平の位置となるように制御される。上述したように、フラップ１５は、下に凸の曲率を有している。そのため、フラップ１５が略水平に位置すると、送風路３３内を通過する気体は、上方へ誘導される。
【００５５】
またこのとき、上下風向板２１は、上面部材３４の第３面４３に沿うような位置に制御される。これにより、上下風向板２１の全体が、仮想延長線Ｌ２よりも上側に位置する。また、上下風向板２１が、送風路３３の下流側の上面部分に形成された切り欠き部内に収まるように位置する。
【００５６】
これにより、上方吹き出し時に、送風路３３の上方部分における送風が上下風向板２１によって大きく妨害されることを抑えることができる。
【００５７】
次に、図４を参照しながら、定格運転時の送風路３３について説明する。定格運転時、送風路３３の下面を構成するフラップ１５は、本体パネル１２からやや下方に傾斜した位置となるように制御される。上述したように、フラップ１５は、下に凸の曲率を有している。そのため、フラップ１５がやや下方に傾斜すると、送風路３３内を通過する気体は、正面方向（すなわち略水平方向）に誘導される。
【００５８】
またこのとき、上下風向板２１は、仮想延長線Ｌ２のやや上方で、仮想延長線Ｌ２に略平行な位置に制御される。これにより、上下風向板２１の全体が、仮想延長線Ｌ２よりも上側に位置する。
【００５９】
この構成により、送風路３３の上面は、第１面４１の傾斜に沿って、やや下方へ傾斜した状態となる。そのため、第１面４１の下流側端部３４ａと上下風向板２１の上流側端部との隙間から上下風向板２１の上面側へ漏れ出る風の量を少なく抑え、クロスフローファン３２から流れる風の大部分を送風路３３へ導くことができる。また、送風路３３の下面は、上流側においては、上面の傾斜よりもやや急な角度で下方に傾斜し、下流側においては、上面と略平行な状態となる。これにより、正面方向への円滑な気体の流れを形成することができる。
【００６０】
続いて、図５を参照しながら、下方吹出し時の送風路３３について説明する。下方吹き出し時、送風路３３の下面を構成するフラップ１５は、本体パネル１２に対して大きく下側へ傾斜した位置となるように制御される。そのため、下に凸の曲率有するフラップ１５であっても、送風路３３内を通過する気体を、下方へ誘導することができる。
【００６１】
またこのとき、上下風向板２１は、大きく下方側へ傾斜する。すなわち、上下風向板２１の上流側の一部を除いて、大部分が仮想延長線Ｌ２よりも下側に位置する。
【００６２】
この構成により、下方向への円滑な気体の流れを形成することができる。
【００６３】
（第１の実施形態のまとめ）
以上のように、本実施形態にかかる空気調和機には、上方吹き出し時、水平方向吹出し時、および下方吹出し時の何れの方向への風の吹き出し時においても、送風路３３からの風の吹き出しを円滑に行うことができる。
【００６４】
なお、本実施形態にかかる室内機１では、送風路３３の上面を構成する第２面４２の水平面に対する傾斜角度は、送風路３３の上面を構成する第３面４３の水平面に対する傾斜角度よりも大きくなっている。この構成により、吹き出し口１６から上方向へ風を吹き出す場合に、上面部材３４の切り欠き部内に、上下風向板２１のより多くの部分を収容することができる。そのため、上方向へ風が吹き出す場合に、送風路３３の上方部分における送風が上下風向板２１によって大きく妨害されることを抑えることができる。
【００６５】
〔第２の実施形態〕
本発明の第２の実施形態について、図６を参照しながら説明する。図６には、第２の実施形態にかかる室内機１０１の内部の構成を模式的に示す。第２の実施形態にかかる室内機１０１では、上面部材１３４によって形成される送風路３３の上面の形状のみが第１の実施形態とは異なる。これ以外の構成については、第１の実施形態と同様の構成が適用できる。そこで、第１の実施形態と同じ構成が適用できる構成部材については、第１の実施形態と同じ符号を付し、その説明を省略する。
【００６６】
図６では、室内機１０１が上方向に向けて風を吹き出す状態を示す。図６に示すように、本実施形態では、上面部材１３４によって形成される送風路３３の上面は、第１面１４１、第２面１４２、および第３面１４３を有している。
【００６７】
第１面１４１は、送風路３３の上流側に位置し、気体の流れに沿って下方に傾斜している。第２面１４２は、第１面４１の下流側端部１３４ａに連続し、気体の流れに沿って下流側かつ上方へ延びている。なお、第２面１４２は、曲面形状を有している。
【００６８】
第３面１４３は、第２面１４２の下流側端部１３４ｂに連続し、気体の流れに沿って下流側かつ上方へ延びている。なお、第１面１４１の下流側端部１３４ａは、第１面１４１と第２面１４２との接続部でもある。また、第２面１４２の下流側端部１３４ｂは、曲面状の第２面１４２から平面状の第３面１４３へ変化する箇所である。また、第３面の下流側端部を１３４ｃとする。
【００６９】
送風路３３が、上記のような３つの面１４１，１４２，１４３で構成されることによって、送風路３３の下流側の上面部分には、切り欠き部が形成される。切り欠き部は、第１面１４１の下流側端部１３４ａの高さにおける水平面から上方を抉り取るようにして形成される。そして、この切り欠き部内に、上下風向板２１が配置されている。
【００７０】
この構成によれば、吹き出し口１６から上方向へ風を吹き出す場合に、送風路３３の上方部分における送風が上下風向板２１によって大きく妨害されることを抑えることができる。
【００７１】
なお、第２面１４２の曲面形状は、上下風向板２１の回転軸２２を中心とした円の一部となっていることが好ましい。これにより、上下風向板２１がどの位置に存在した場合にも、上下風向板２１と第２面１４２との距離を一定にすることができる。そのため、上下風向板２１の回転時に起こり得る風の流れの変化を小さくすることができる。
【００７２】
なお、本実施形態では、曲面形状を有する第２面１４２の水平面に対する傾斜角度は、略全体的に、第３面１４３の水平面に対する傾斜角度よりも大きくなっている。そして、第２面１４２から第３面１４３へ移行する下流側端部１３４ｂにおいて、第２面１４２および第３面１４３の傾斜角度が同じとなる。より具体的には、第２面１４２の水平面に対する傾斜角度は、その上流側が急で（傾斜角度が大きく）、下流へ向かうにしたがって徐々に小さくなり、最下流側（すなわち、下流側端部１３４ｂ）では第３面１４３の傾斜角度と略同じくらいとなっている。
【００７３】
〔第３の実施形態〕
本発明の第３の実施形態について、図７を参照しながら説明する。図７には、第３の実施形態にかかる室内機２０１の内部の構成を模式的に示す。第３の実施形態にかかる室内機２０１では、上下風向板２２１の形状のみが第１の実施形態とは異なる。これ以外の構成については、第１の実施形態と同様の構成が適用できる。そこで、第１の実施形態と同じ構成が適用できる構成部材については、第１の実施形態と同じ符号を付し、その説明を省略する。
【００７４】
図７では、室内機２０１が上方向に向けて風を吹き出す状態を示す。第１の実施形態では、上下風向板２１は、平坦な板状の形状を有している。これに対して、本実施形態では、図７に示すように、上下風向板２２１は、上に凸の曲率を有する曲面形状を有している。なお、第１の実施形態と同様に、上下風向板２２１の上流側の端部には、回転軸２２が設けられている。
【００７５】
上下風向板２２１が上記のような構成を有することにより、室内機２０１が上方向に向けて風を吹き出す時には、上下風向板２２１の上流側端部は、第１面４１の仮想延長線Ｌ２よりも下側に位置する。すなわち、上方吹き出し時において、上下風向板２２１の上流側端部が送風路３３内に存在する。これにより、第１面４１の下流側端部３４ａと上下風向板２２１の上流側端部との隙間の幅を広げることができる。
【００７６】
したがって、この構成によれば、上方向への風の吹き出し時に、第１面４１の下流側端部３４ａと上下風向板２２１の上流側端部との隙間から上下風向板２２１の上面側（すなわち、第２面４２および第３面４３と、上下風向板２２１との間の空間）に、風の一部が流れやすくなる。そのため、冷房運転時などに上方向へ風を吹き出すときに、第２面４２および第３面４３や、上下風向板２２１の上面などに結露が発生することを抑えることができる。
【００７７】
また、上下風向板２２１が上記のような曲面形状を有することにより、室内機２０１が吹き出し口１６から下方向へ風を吹き出す場合の整流効果をより高めることができる。
【００７８】
〔第４の実施形態〕
本発明の第４の実施形態について、図８を参照しながら説明する。図８には、第４の実施形態にかかる室内機３０１の内部の構成を模式的に示す。第４の実施形態にかかる室内機３０１では、上下風向板３２１の形状のみが第１の実施形態とは異なる。これ以外の構成については、第１の実施形態と同様の構成が適用できる。そこで、第１の実施形態と同じ構成が適用できる構成部材については、第１の実施形態と同じ符号を付し、その説明を省略する。
【００７９】
図８では、室内機３０１が上方向に向けて風を吹き出す状態を示す。第１の実施形態では、上下風向板２１は、平坦な板状の形状を有している。これに対して、本実施形態では、図８に示すように、上下風向板３２１は、上に凸の形状となるように、その断面形状が屈曲している。すなわち、上下風向板３２１には、屈曲部３２１ａが形成されている。本実施形態では、屈曲部３２１ａは、上下風向板３２１の前後方向の中央部よりもやや上流側に位置する。なお、第１の実施形態と同様に、上下風向板３２１の上流側の端部には、回転軸２２が設けられている。
【００８０】
上下風向板３２１が上記のような構成を有することにより、室内機３０１が上方向に向けて風を吹き出す時には、上下風向板３２１の上流側端部は、第１面４１の仮想延長線Ｌ２よりも下側に位置する。すなわち、上方吹き出し時において、上下風向板３２１の上流側端部が送風路３３内に存在する。これにより、第１面４１の下流側端部３４ａと上下風向板３２１の上流側端部との隙間の幅を広げることができる。
【００８１】
したがって、この構成によれば、上方向への風の吹き出し時に、第２面４２および第３面４３と、上下風向板３２１との間の空間に、風の一部が流れやすくなる。そのため、冷房運転時などに、第２面４２および第３面４３や、上下風向板３２１の上面などに結露が発生することを抑えることができる。
【００８２】
また、上下風向板３２１が上記のような上に凸の屈曲形状を有することにより、室内機３０１が吹き出し口１６から下方向へ風を吹き出す場合の整流効果をより高めることができる。
【００８３】
また、上下風向板３２１は、平面で構成された凸の屈曲形状である。そのため、湾曲した形状を有する第３の実施形態の上下風向板２２１と比較して、吹き出し口１６から上方向へ風を吹き出す場合に、上方向へより円滑な風の流れを形成することができる。
【００８４】
〔第５の実施形態〕
本発明の第５の実施形態について、図９から図１１を参照しながら説明する。図９から図１１には、第５の実施形態にかかる室内機４０１の内部の構成を模式的に示す。第５の実施形態にかかる室内機４０１では、上下風向板４２１の構成が第１の実施形態とは異なる。これ以外の構成については、第１の実施形態と同様の構成が適用できる。そこで、第１の実施形態と同様の構成が適用できる構成部材については、第１の実施形態と同じ符号を付し、その説明を省略する。
【００８５】
図９では、吹き出し口１６からの気体の送風方向が上方側に設定されている状態を示す。図１０は、吹き出し口１６からの送風効率の最も良い方向が正面側に設定されている状態（空気調和機の性能を優先して略水平方向に風を吹き出す状態）を示す。この図１０に示す状態を、空気調和機が定格運転を行っている状態という。図１１は、吹き出し口１６からの気体の送風方向が下方側に設定されている状態を示す。
【００８６】
第１の実施形態では、上下風向板２１の上流側の端部に、回転軸２２が設けられている。これに対して、本実施形態では、図１０などに示すように、上下風向板４２１の下面の上流側の端部付近に回転軸４２２が設けられている。なお、図９から図１１に示すように、回転軸４２２は、第１面４１を下流側に仮想的に延長した仮想延長線Ｌ２よりも下側に位置している。
【００８７】
上記の構成により、水平吹出し時において、上下風向板４２１の上流側端部と第１面４１の下流側端部３４ａとの間に形成される隙間の距離Ｄ１をより大きくすることができる（図１０参照）。また、下方吹き出し時において、上下風向板４２１の上流側端部と第１面４１の下流側端部３４ａとの間に形成される隙間の距離Ｄ２を、距離Ｄ１よりもさらに大きくすることができる（図１１参照）。
【００８８】
これにより、上下風向板４２１の上面側（すなわち、第２面４２および第３面４３と、上下風向板２２１との間の空間）に、風の一部が流れやすくなる。そのため、冷房運転時などに、第２面４２および第３面４３や、上下風向板２２１の上面などに結露が発生することを抑えることができる。
【００８９】
上下風向板４２１以外の構成については、第１の実施形態と同様の構成が適用できる。例えば、第１の実施形態と同様に、上下風向板４２１の全可動範囲において（すなわち、上方吹き出し時、水平吹出し時、および下方吹出し時の全ての場合において）、上下風向板４２１の少なくとも一部が、仮想線Ｌ１よりも上側に存在している（図９から図１１参照）。
【００９０】
この構成によれば、吹き出し口１６から上方向へ風を吹き出す場合にも、吹き出し口１６から下方向へ風を吹き出す場合にも、風の流れをより円滑にすることができる。すなわち、上方向へ風が吹き出す場合には、送風路３３の上方部分における送風が上下風向板２１によって大きく妨害されることを抑えることができる（図９参照）。
【００９１】
また、吹き出し口１６から水平方向へ風を吹き出す場合には、上下風向板４２１の下面は、仮想延長線Ｌ２上に位置する（図１０参照）。これにより、回転軸４２２を除く上下風向板４２１の本体部全体が、仮想延長線Ｌ２よりも上側に位置する。
【００９２】
この構成により、送風路３３の上面は、第１面４１の傾斜に沿って、やや下方へ傾斜した状態となる。また、送風路３３の下面は、上流側においては、上面よりもやや急な角度で下方へ傾斜し、下流側においては、上面と略平行な状態となる。これにより、正面方向への円滑な気体の流れを形成することができる。
【００９３】
また、本実施形態にかかる室内機４０１においては、送風路３３の上面が、３つの面４１，４２，４３で構成されることによって、送風路３３の下流側の上面部分には、切り欠き部が形成される。そして、図９に示すように、上方吹き出し時には、この切り欠き部内に、回転軸４２２を除く上下風向板２１の全体が配置されている。
【００９４】
この構成によれば、吹き出し口１６から上方向へ風を吹き出す場合に、送風路３３の上方部分における送風が上下風向板２１によって大きく妨害されることを抑えることができる。なお、本実施形態では、上下風向板４２１の下面に回転軸４２２が配置されている。そのため、第２面４２の水平面に対する傾斜角度は、第１の実施形態で説明した第２面４２の傾斜角度よりも大きくなっていてもよい。これにより、上面部材３４に、上方により大きく抉れた形状の切り欠き部が形成される。そして、上方吹き出し時に、上下風向板４２１の大部分を切り欠き部内に収めることができる。
【００９５】
また、本実施形態にかかる室内機４０１において、上方吹き出し時の送風路３３の上下方向の幅は、上流側Ａ１と下流側Ａ２との間で、略同じであることが好ましい。これを実現するために、上方吹き出し時のフラップ１５の下流側の先端部は、仮想延長線Ｌ２よりも下側に位置することが好ましい（図９参照）。これにより、上方吹き出し時の風量を確保することができる。
【００９６】
図１２には、第４の実施形態の変形例にかかる室内機４０１’の内部構成を示す。図１２に示すように、室内機４０１’では、送風路３３の上面の形状が室内機４０１とは異なっている。具体的には、送風路の上面を構成する上面部材４３４の形状が、室内機４０１とは異なっている。
【００９７】
上面部材３４によって形成される送風路３３の上面は、第１面４４１、第２面４４２、および第３面４４３を有している。そして、第１面４４１と第２面４４２との接続部となる第１面４４１の下流側端部４３４ａは、湾曲した形状を有している。この構成によれば、送風路３３内を流れる気体の一部を、上下風向板４２１の上面側によりスムーズに流すことができる。
【００９８】
〔第６の実施形態〕
本発明の第６の実施形態について、図１３から図１６を参照しながら説明する。図１３から図１６には、第６の実施形態にかかる室内機５０１の内部の構成を模式的に示す。第６の実施形態にかかる室内機５０１では、上面部材の形状および上下風向板５２１の構成が第１の実施形態とは異なる。これら以外の構成については、第１の実施形態と同様の構成が適用できる。そこで、第１の実施形態と同じ構成が適用できる構成部材については、第１の実施形態と同じ符号を付し、その説明を省略する。
【００９９】
図１３では、吹き出し口１６からの気体の送風方向が上方側に設定されている状態を示す。図１４は、吹き出し口１６からの送風効率の最も良い方向が正面側に設定されている状態（空気調和機の性能を優先して略水平方向に風を吹き出す状態）を示す。この図１４に示す状態を、空気調和機が定格運転を行っている状態という。図１５は、吹き出し口１６からの気体の送風方向が下方側に設定されている状態を示す。また、図１６には、室内機５０１に備えられた上下風向板５２１を示す。
【０１００】
室内機５０１の送風路３３は、主として、上面部材５３４、背面部材３５、およびフラップ１５によって、その形状が規定される。背面部材３５およびフラップ１５は、第１の実施形態と同様の構成が適用できる。
【０１０１】
上面部材５３４は、送風路３３の上面を形成する。上面部材５３４によって形成される送風路３３の上面は、第１面５４１、第２面５４２、および第３面５４３を有している。
【０１０２】
第１面５４１は、送風路３３の上流側に位置し、気体の流れに沿って（すなわち、前方へ向かって）下方に傾斜している。第２面５４２は、第１面５４１の下流側端部５３４ａに連続し、気体の流れに沿って（すなわち、前方へ向かって）上方へ延びている。なお、第１の実施形態とは異なり、第２面５４２は、下流側に向かって一旦上方へ延びた後、下流側に向かってやや下方に傾斜し、下流側端部５３４ｂに至る。そして、第３面５４３は、第２面５４２の下流側端部５３４ｂに連続し、気体の流れに沿って（すなわち、前方へ向かって）上方へ傾斜するように延びている。なお、本実施形態では、第２面５４２の上方へ傾斜している部分の水平面に対する傾斜角度は、第３面５４３の水平面に対する傾斜角度よりも大きくなっている。
【０１０３】
なお、第１面５４１の下流側端部５３４ａは、第１面５４１と第２面５４２との接続部でもある。また、第２面５４２の下流側端部５３４ｂは、第２面５４２と第３面５４３との接続部でもある。また、第３面の下流側端部を５３４ｃとする。図１３に示すように、下流側端部５３４ｂは下流側端部５３４ａよりも上方に位置し、下流側端部５３４ｃは下流側端部５３４ｂよりも上方に位置する。
【０１０４】
送風路３３が、上記のような３つの面５４１，５４２，５４３で構成されることによって、送風路３３の下流側の上面部分には、切り欠き部が形成される。切り欠き部は、第１面５４１の下流側端部５３４ａの高さにおける水平面から上方を抉り取るようにして形成される。なお、上面部材５３４が、上記のような第２面５４２を有することにより、切り欠き部は、その下流側においてより大きな空間を有する。
【０１０５】
そして、この切り欠き部内に、上下風向板５２１が配置されている。図１６に示すように、上下風向板５２１は、主として、本体部５２１ａと、回転軸５２２と、補助部材（補助ルーバとも呼ばれる）５２３とで構成されている。
【０１０６】
本体部５２１ａは、略板状の部材であり、上下風向板５２１の本体部分を構成する。回転軸５２２は、第５の実施形態と同様に、上下風向板５２１の本体部５２１ａの下面の上流側の端部付近に設けられている。補助部材５２３は、上下風向板５２１の本体部５２１ａにおける送風路３３の上流側において、上下風向板５２１と部分的に重なるように配置されている。そして、補助部材５２３は、本体部５２１ａと略平行に室内機５０１の左右方向に延びている。補助部材５２３と本体部５２１ａとの間には、隙間が形成されている。クロスフローファン３２からの風の一部は、この隙間を通過する。なお、補助部材５２３と本体部５２１ａとの幅は、上流側が広く、下流側が狭くなっていてもよい。このようにすることで、風が隙間に流入しやすくなり、流出する際に、上下風向板５２１の本体部５２１ａの上面に沿って流れやすくなる。
【０１０７】
図１３に示すように、上方吹き出し時には、補助部材５２３の大部分が上面部材５３４に形成された切り欠き部の上流側の空間部分に位置する。また、図１４に示すように、水平吹き出し時には、補助部材５２３の一部が上面部材５３４に形成された切り欠き部の上流側の空間部分に位置する。
【０１０８】
また、図１３から図１５に示すように、上下風向板５２１の全可動範囲において（上方吹き出し時、水平吹出し時、および下方吹出し時の全ての場合において）、上下風向板５２１の少なくとも一部が、仮想線Ｌ１よりも上側に存在している。
【０１０９】
この構成によれば、吹き出し口１６から上方吹き出し時および水平吹出し時における風の流れをより円滑にすることができる。すなわち、上方向または水平方向へ風が吹き出す場合には、送風路３３の上方部分における送風が上下風向板２１によって大きく妨害されることを抑えることができる（図１３参照）。
【０１１０】
また、補助部材５２３が設けられていることにより、上下風向板５２１の本体部５２１ａの上流側端部と第２面５４２との隙間にある程度の風を流しつつ、あまり大量の風が流れ過ぎないようにすることができる。これにより、各方向への風の吹き出し時に、送風路３３内を通過する風の大部分を主たる方向（目的とする方向）へ導くことができる。
【０１１１】
なお、他の実施形態にかかる上下風向板（例えば、上下風向板２１など）が、第６の実施形態で説明した補助部材５２３を有している構成も、本発明の一態様に含まれる。
【０１１２】
また、図１７および図１８には、第６の実施形態の変形例を示す。図１７に示す室内機６０１においては、上下風向板６２１の構成が、室内機５０１の上下風向板５２１とは異なっている。同様に、図１８に示す室内機７０１においては、上下風向板７２１の構成が、室内機５０１の上下風向板５２１とは異なっている。
【０１１３】
室内機６０１では、上下風向板６２１は、主として、本体部６２１ａと、回転軸６２２と、補助部材６２３とで構成されている。本体部６２１ａは、上下風向板５２１の本体部５２１ａと同様の構成を有している。
【０１１４】
回転軸６２２は、上下風向板５２１の回転軸５２２と比較して、より上流側に配置されている。図１７に示す例では、回転軸６２２は、本体部６２１ａの上流側端部の真下に設けられている。また、補助部材６２３は、上下風向板５２１の補助部材５２３と比較して、より上流側に配置されている。図１７に示す例では、補助部材６２３は、その一部が、本体部６２１ａよりも上流側に突出するように配置されている。
【０１１５】
この構成によれば、下方吹き出し時において、上下風向板６２１の上流側端部と第２面５４２との隙間に流れる風の量をより少なくすることができる。
【０１１６】
また、室内機７０１では、上下風向板７２１は、主として、本体部７２１ａと、回転軸７２２と、補助部材７２３とで構成されている。本体部７２１ａは、上下風向板５２１の本体部５２１ａと同様の構成を有している。
【０１１７】
回転軸７２２は、上下風向板５２１の回転軸５２２と比較して、より下流側に配置されている。また、補助部材７２３は、上下風向板５２１の補助部材５２３と比較して、より下流側に配置されている。図１８に示す例では、補助部材７２３は、本体部７２１ａ上の前後方向における略中央に配置されている。
【０１１８】
この構成によれば、上下風向板７２１を、上面部材５３４によって形成される切り欠き部のより上方側に配置することができる。
【０１１９】
（まとめ）
本発明の一局面にかかる空気調和機は、室内側熱交換器と、前記室内側熱交換器において熱交換された気体を吹き出し口へ導くファンと、前記ファンから送風された気体が通る気体流路とを備えている。前記気体流路の上面は、前記気体流路の上流側に位置し、気体の流れに沿って下方に傾斜している第１面と、前記第１面の下流側端部に連続し、気体の流れに沿って下流側かつ上方へ延びる第２面と、前記第２面の下流側端部に連続し、気体の流れに沿って下流側かつ上方へ延びる第３面とで構成されており、水平面に対する前記第２面の傾斜角度は、前記水平面に対する前記第３面の傾斜角度よりも大きくなっている。
【０１２０】
上述の本発明の一局面にかかる空気調和機は、前記ファンから送風された気体の送風方向を上下に変更する上下風向板をさらに備え、前記吹き出し口からの気体の送風方向を上方側に設定しているときには、前記上下風向板の上流側端部は、前記第１面を下流側に延長した仮想延長線よりも下側に位置していてもよい。
【０１２１】
また、前記上下風向板は、その上面上に備えられている補助部材を含み、前記補助部材は、前記上下風向板における前記気体流路の上流側において、前記上下風向板と部分的に重なるように配置されていてもよい。
【０１２２】
上述の本発明の一局面にかかる空気調和機において、前記第２面は曲面形状を有していてもよい。
【０１２３】
また、本発明の他の局面にかかる空気調和機は、室内側熱交換器と、前記室内側熱交換器において熱交換された気体を吹き出し口へ導くファンと、前記ファンから送風された気体が通る気体流路と、前記ファンから送風された気体の送風方向を上下に変更する上下風向板とを備えている。前記気体流路の上面は、前記気体流路の上流側に位置し、気体の流れに沿って下方に傾斜している第１面と、前記第１面の下流側端部に連続し、気体の流れに沿って下流側かつ少なくとも上方へ延びる第２面と、前記第２面の下流側端部に連続し、気体の流れに沿って下流側かつ上方へ延びる第３面とを有している。そして、前記上下風向板の少なくとも一部が、前記第１面の下流側端部と前記第３面の下流側端部とを結ぶ仮想線よりも上側に存在する。
【０１２４】
上述の本発明の他の局面にかかる空気調和機において、前記上下風向板は、その上面上に備えられている補助部材を含んでいてもよい。そして、前記補助部材は、前記第１面の下流側端部と前記第３面の下流側端部とを結ぶ仮想線よりも上側に存在してもよい。
【０１２５】
上述の本発明の他の局面にかかる空気調和機において、前記上下風向板の可動範囲には、前記第１面を下流側に延長した仮想延長線よりも前記上下風向板の本体部全体が上側に位置する場合が含まれていてもよい。
【０１２６】
なお、本発明の何れかの局面にかかる空気調和機において、前記上下風向板は、上に凸の曲率を有する曲面を有していてもよい。
【０１２７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【０１２８】
１        ：（空気調和機の）室内機
１５      ：フラップ
１６      ：吹き出し口
１７      ：フィルタ
２１      ：上下風向板
２２      ：回転軸
３１      ：室内側熱交換器
３２      ：クロスフローファン（ファン）
３３      ：送風路（気体流路）
３４      ：上面部材（上面）
３４ａ    ：（第１面の）下流側端部
３４ｂ    ：（第２面の）下流側端部
３４ｃ    ：（第３面の）下流側端部
３５      ：背面部材
４１      ：第１面
４２      ：第２面
４３      ：第３面
５１      ：左右風向板
１０１    ：（空気調和機の）室内機
１３４    ：上面部材（上面）
２０１    ：（空気調和機の）室内機
２２１    ：上下風向板
３０１    ：（空気調和機の）室内機
３２１    ：上下風向板
４０１    ：（空気調和機の）室内機
４２１    ：上下風向板
４２２    ：回転軸
５０１    ：（空気調和機の）室内機
５２１    ：上下風向板
５２１ａ  ：本体部
５２２    ：回転軸
５２３    ：補助部材
５３４    ：上面部材（上面）
５４１    ：第１面
５４２    ：第２面
５４３    ：第３面
６０１    ：（空気調和機の）室内機
６２１    ：上下風向板
７０１    ：（空気調和機の）室内機
７２１    ：上下風向板
Ｌ１      ：仮想線
Ｌ２      ：仮想延長線
【図１】
2018179470.tif 000003
【図２】
2018179470.tif 000004
【図３】
2018179470.tif 000005
【図４】
2018179470.tif 000006
【図５】
2018179470.tif 000007
【図６】
2018179470.tif 000008
【図７】
2018179470.tif 000009
【図８】
2018179470.tif 000010
【図９】
2018179470.tif 000011
【図１０】
2018179470.tif 000012
【図１１】
2018179470.tif 000013
【図１２】
2018179470.tif 000014
【図１３】
2018179470.tif 000015
【図１４】
2018179470.tif 000016
【図１５】
2018179470.tif 000017
【図１６】
2018179470.tif 000018
【図１７】
2018179470.tif 000019
【図１８】
2018179470.tif 000020
【国際調査報告】
2018179470.tif 000021
2018179470.tif 000022